【手続補正書】
【提出日】平成19年7月9日(2007.7.9)
【手続補正１】
【補正対象書類名】特許請求の範囲
【補正対象項目名】全文
【補正方法】変更
【補正の内容】
【特許請求の範囲】
【請求項１】
光源と、
表示領域を有する表示素子と、
前記光源からの光を前記表示素子に導くための導光部材と、
前記導光部材と前記表示素子との間に配置され、前記導光部材から射出した光のうち前記表示領域外に向かう光を前記導光部材側に反射させる第１の反射部材とを有することを特徴とする表示装置。
【請求項２】
光源と、
表示領域を有する表示素子と、
前記光源からの光を前記表示素子に導くための導光部材と、
前記導光部材に対して前記表示素子側とは反対側に配置され、前記導光部材から射出した光を前記導光部材側に反射させるための第２の反射部材と、
前記表示素子と前記第２の反射部材との間であって、前記光源と前記導光部材を囲む位置に配置されており、前記導光部材から射出した光を前記導光部材側に反射させるための第３の反射部材とを有することを特徴とする表示装置。
【請求項３】
前記第３の反射部材は、少なくとも前記導光部材を保持する保持部材であることを特徴とする請求項２に記載の表示装置。
【請求項４】
前記反射部材は、少なくとも光を反射させる面が白色の部材であることを特徴とする請求項１から３のいずれか１つに記載の表示装置。
【請求項５】
前記導光部材は、前記光源からの光を反射させ、前記光源からの位置に応じて反射光量が異なる反射部を有しており、前記光源からの光を略均一な明るさ分布を持つ光に変換して前記表示素子側に導くことを特徴とする請求項１から４のいずれか１つに記載の表示装置。
【請求項６】
請求項１から５のいずれか１つに記載の表示装置を有することを特徴とする撮像装置。
【手続補正２】
【補正対象書類名】明細書
【補正対象項目名】０００３
【補正方法】変更
【補正の内容】
【０００３】
この表示装置は、液晶表示板３０１とその裏面に設けられる照明ユニットで構成され、該照明ユニットは液晶表示板３０１と平行に配置される導光板３０５と、導光板３０５の両端に配された光源３０２と、光源３０２からの光線を導光板３０５へ反射させるための反射部３０２ａと、導光板３０５の後方に進む光線を液晶表示板３０１側へ反射させる反射シート３０７と、照明面の輝度を面全体にわたって均一化するための拡散シート３０４とを有している。
【手続補正３】
【補正対象書類名】明細書
【補正対象項目名】００１２
【補正方法】変更
【補正の内容】
【００１２】
さらに、図１２に記載の表示装置は、多連のＬＥＤを用いて表示領域を照明しているので、コストアップの要因となるとともに、ＦＬＥＤと表示部が近接していることから表示部とＦＬＥＤの間に拡散シートを配置しても十分な拡散ができず、輝度ムラを生じてしまうという問題が発生する。
【手続補正４】
【補正対象書類名】明細書
【補正対象項目名】００１３
【補正方法】変更
【補正の内容】
【００１３】
本発明の主な目的は、光源からの光を効率よく利用できる表示装置を提供することにある。
【手続補正５】
【補正対象書類名】明細書
【補正対象項目名】００１４
【補正方法】変更
【補正の内容】
【００１４】
本発明の表示装置は、光源と、表示領域を有する表示素子と、光源からの光を表示素子に導くための導光部材と、導光部材と表示素子との間に配置され、導光部材から射出した光のうち表示領域外に向かう光を導光部材側に反射させる第１の反射部材とを有することを特徴とする。
【手続補正６】
【補正対象書類名】明細書
【補正対象項目名】００１５
【補正方法】変更
【補正の内容】
【００１５】
本発明によれば、表示領域外に向かう光を第１の反射部材により導光部材側に反射させることで、この反射光を導光部材から表示素子に導かれる光として再利用でき、光源からの光を効率よく利用できる。
【手続補正７】
【補正対象書類名】明細書
【補正対象項目名】００１７
【補正方法】変更
【補正の内容】
【００１７】
図７、図８は本発明の実施例１における表示装置が適用されるカメラ（撮像装置）の外観斜視図であり、図７は撮像装置の背面斜視図、図８は正面斜視図である。１０１はカメラ本体、１０２は外部表示液晶ユニットであり、撮影設定状態や撮影可能枚数などを表示する。ここでは全点灯状態を示している。
【手続補正８】
【補正対象書類名】明細書
【補正対象項目名】００１９
【補正方法】変更
【補正の内容】
【００１９】
１０５はＦＵＮＣボタンで、各種機能の設定を行う。一度ＦＵＮＣボタン１０５を押すと、外部表示液晶ユニット１０２の矢印がＦＵＮＣマーク１０３の「ＤＡＴＥ」部を指し示し、ＤＡＴＥ機能に関しての設定が行える。ＦＵＮＣボタン１０５を繰り返し押すと、ＤＡＴＥ→ＩＳＯ→赤目→電子音→多重露出→ＡＥＢの順に外部表示液晶ユニット１０２の指し示す矢印が移動して、それぞれの状態で電子ダイアル１１１を操作することによって各機能の設定を行うことができる。
【手続補正９】
【補正対象書類名】明細書
【補正対象項目名】００２０
【補正方法】変更
【補正の内容】
【００２０】
１０６は照明ボタンで、一度押すと外部表示液晶ユニット１０２のバックライトが点灯する。タイマーによっても自動消灯するが、点灯中に再度押すことで強制的に消灯することができる。１０７は部分測光・ＡＥロックボタンであり、このボタンを押すと、その時に部分測光したＡＥ値に所定時間固定される。
【手続補正１０】
【補正対象書類名】明細書
【補正対象項目名】００２２
【補正方法】変更
【補正の内容】
【００２２】
１１１は電子ダイアルであり、上記でも説明したように、各種設定時にこれを用いてパラメータを変化させる。１１２は二段階のストロークを持つレリーズボタンであり、一段階目のストローク（以下ＳＷ１と称する）でＡＦ／ＡＥを確定し、二段階目のストローク（以下ＳＷ２と称する）にてミラーアップ、シャッタ作動（露光）、ミラーダウンという一連の撮影動作が行われる。
【手続補正１１】
【補正対象書類名】明細書
【補正対象項目名】００２６
【補正方法】変更
【補正の内容】
【００２６】
１２１はマウントロック解除ボタン、１２０はマウントロックピンで、不図示のレンズユニットを取り外す際には、マウントロック解除ボタン１２１を押すと、連動してマウントロックピン１２０とレンズユニットとの係合が外れ、レンズユニットが回転してバヨネットから外れる構成となっている。
【手続補正１２】
【補正対象書類名】明細書
【補正対象項目名】００２９
【補正方法】変更
【補正の内容】
【００２９】
図１は本発明の実施例１の表示装置の分解斜視図であり、ファインダ１１３内の表示装置として適用される。なお、ファインダ内の表示装置以外にも撮影情報等を表示する他の表示装置に適用することもできる。
【手続補正１３】
【補正対象書類名】明細書
【補正対象項目名】００３１
【補正方法】変更
【補正の内容】
【００３１】
２はネガタイプの液晶表示ユニットである表示素子で、表示素子２内の表示部２ａに表示ＬＣＤ等が設けられている。３は有効照明領域とほぼ同じ開口を有し、かつ高反射率の材料からなる第１の反射部材、４は光源から表示素子２に向かう光を均一にするための拡散板である。
【手続補正１４】
【補正対象書類名】明細書
【補正対象項目名】００３４
【補正方法】変更
【補正の内容】
【００３４】
そして、この第１の反射部材３は導光板５と表示素子２との間に配置され、第２の反射部材７は、導光板５に対して表示素子２側とは反対側に配置され、反射枠部材（第３の反射部材）は、ＬＥＤ９ａと導光板５を囲む形状に形成され、表示素子２と第２の反射部材７との間に配置される。
【手続補正１５】
【補正対象書類名】明細書
【補正対象項目名】００３６
【補正方法】変更
【補正の内容】
【００３６】
また、この上から固定プレート１０を被せてホルダー１の爪部とかみ合わせることによってこれらの部材がホルダー１と一体化され、表示素子２とフレキシブル基板１１の端子部が導電ゴム８により圧接されて電気的導通される。ホルダー１には表示素子２の表示部２ａによって形成される像を所定の方向から見ることができるようにするため、プリズム部材１３を取り付ける。これにより表示素子２の像はプリズム部材１３の面１３ａで反射して約９０°上方から観察できるようになる（図４参照）。
【手続補正１６】
【補正対象書類名】明細書
【補正対象項目名】００３７
【補正方法】変更
【補正の内容】
【００３７】
次に図５を用いて本実施例の表示装置に関して詳細に説明する。本実施例の表示装置は導光板５を用いて１灯のＬＥＤ９ａによる面発光光源を形成している。導光板５は透明のアクリル樹脂で形成された薄板で、照明しようとする面側の反対側の面に複数の球状の凹部５ａを設けている。ＬＥＤ９ａからの光線の一部が凹部５ａの界面で反射して上面（拡散板４側）へと導かれる（光線５１ａ）。
【手続補正１７】
【補正対象書類名】明細書
【補正対象項目名】００３９
【補正方法】変更
【補正の内容】
【００３９】
そして、凹部５ａで反射せずに導光板５から抜け出た光線は第２の反射部材７で反射され上面へと導かれる（光線５１ｂ）。第２の反射部材７には通常、高反射率で不透明の白色樹脂材料のシートが用いられる。鏡面の反射面を持つシートや反射方向を制御したシートなどを用いてもよいが、反射面が拡散面となって光量ムラの制御がしやすく、価格が比較的安い白色のシートを用いることが望ましい。
【手続補正１８】
【補正対象書類名】明細書
【補正対象項目名】００４０
【補正方法】変更
【補正の内容】
【００４０】
また、導光板５の端面に進んだ光線の多くは反射せずにそのまま抜け出てしまうが、本実施例では図６に示すように、これらの光線を有効利用するために反射枠部材６を用いている。反射枠部材６は第２の反射部材７と同様に高反射率で不透明の白色樹脂材料で形成されて、導光板５の端面に進んだ光線（光線５１ｄ）を再び導光板５内へ反射すると同時に、ＬＥＤ９ａの周囲まで覆うような形状をしており不必要な部分への漏光防止の役割も果たしている。なお、ホルダー１を白色の材料で成形したり、内面を白色に塗装したりすることで導光板５の形状を反射枠部材６と合わせた形状にし、漏光防止を図ることも可能であるが、導光板５を必要以上に大きくすると端面からの反射光が有効に活用できず暗くなってしまうため、本実施例に示すように導光板５を小さくして光線を閉じ込めるような形態にすることが望ましい。
【手続補正１９】
【補正対象書類名】明細書
【補正対象項目名】００４２
【補正方法】変更
【補正の内容】
【００４２】
しかし、凹部５ａを小さくすると上部へ反射する光量が小さくなり、全体の輝度が下がってしまう。そこで、本実施例では導光板５と表示素子２の間に半透明のシート状の拡散板４を配置し、導光板５に形成されている凹部５ａの形状をぼかして見えにくくしている。
【手続補正２０】
【補正対象書類名】明細書
【補正対象項目名】００４３
【補正方法】変更
【補正の内容】
【００４３】
また、図５に示すように反射光の光線は、導光板５の表面の法線方向から少し傾いた（光源から離れる方向）光線の分布中心がある。すなわち、表示素子２に到達する光線が表示素子４の表面に対して傾いている場合には、この分だけ光量が下がることになる。しかし、本実施例では拡散板４により導光板５の表面に対する法線方向に該光線を変え、凹部５ａを目立たせることなく光量の増加を図っている。
【手続補正２１】
【補正対象書類名】明細書
【補正対象項目名】００４４
【補正方法】変更
【補正の内容】
【００４４】
表示素子２は、通常はブラックアウトしており、表示させたい部分の図形に電荷をかけると透過状態になるというネガタイプの液晶表示素子を用いている。すなわち、均一な面光源により表示素子２を照明しても実際に利用しているのは透過する部分であるため、それ以外の部分に到達する光線のほとんどが表示素子２によって吸収されてしまい光量ロスに繋がる。
【手続補正２２】
【補正対象書類名】明細書
【補正対象項目名】００４５
【補正方法】変更
【補正の内容】
【００４５】
本実施例は、導光板５と表示素子２の間に第１の反射部材３を配置して、表示素子２の表示領域外に向かう光線を（反射させて）再利用している。第１の反射部材３は、第２の反射部材７と同様の材質で形成されており、表示素子２の表示領域（表示部２ａ）と同一若しくは大きい開口部を有している。照明光はこの開口部を通って表示素子２を照明し、開口部以外に当たった光線（５１ｃ）は反射されて導光板５へと戻される。
【手続補正２３】
【補正対象書類名】明細書
【補正対象項目名】００４６
【補正方法】変更
【補正の内容】
【００４６】
このように本実施例では、導光板５と表示素子２の間に有効照明領域（表示部２ａ）と略同一の開口部を持ち、かつ高反射率の材料からなる第１の反射部材３を備えることで照明光の必要な範囲外、すなわち表示領域外に向かう光線を導光板５に戻して再利用し、光量ロスを低減させることができる。
【手続補正２４】
【補正対象書類名】明細書
【補正対象項目名】００４９
【補正方法】変更
【補正の内容】
【００４９】
さらに、反射枠部材６はＬＥＤ９ａ及び導光板５を囲む形状に形成され、かつ高反射率を有しているので、照明手段であるＬＥＤ９ａから照射された光線を導光板５内に閉じ込める構成となり光線を有効に利用することができる。
【手続補正２５】
【補正対象書類名】明細書
【補正対象項目名】００５０
【補正方法】変更
【補正の内容】
【００５０】
また、第３の反射部材である反射枠部材６は、導光板５を保持する構造であるため、導光板５の周囲に別の反射部材を設ける必要がなく、簡略化された構造で、かつ小型の表示装置を実現できる。